(57)【要約】【課題】土地不足問題を解決すること。【解決手段】建築構造物は、少なくとも1つのコラム構造物（１）と、垂直方向に間隔を置かれ、前記コラム構造物に支持された複数の埋め込プラットホーム構造物（２）と、プロットを形成するため、前記はめ込みプラットホーム構造物の中に詰め込まれたランドフィルとを含む。ウォーター・レテキュレーションシステムは中央給水システムからすべてのプロットを通って移動する。住宅（４）は前記プロット上に建てられる。【選択図】図１
2011506805.tif 000002
【特許請求の範囲】
【請求項１】
少なくとも1つのコアコラム構造物と、
前記コアコラム構造物によって支持され、該コアコラム構造物から正視的に動作可能に伸び、各々が適量の日光と換気サービスを独立して受け、遮るもののない景観が得られるように垂直方向に離して配置された複数のはめ込みプラットホーム構造物と、
前記はめ込みプラットホームの陥凹部にプロットを形成するように充填したランドフィルと、
前記プラットホームの互いに接続された少なくとも幾つかの中および中央給水システムに対して用意され、各プロットで使用後の水を処理し、処理水をプロットに動作可能な低レベルで供給するウォーター・レテキュレーション システムと、
前記プロットを地表およびその他のプロットに接続するアクセス手段と、
前記プロットの少なくとも幾つかに取り付けたアメニティー設備またはユーティリィーとを含む、建築構造物。
【請求項２】
高さがおよそ10メーターから30メーターまでの範囲に収まるコラム構造物にプラットホームが取り付けられていない、請求項１に記載の建築構造物。
【請求項３】
各プロットのプラットホームエッジの周りにフェンスが取り付けられている、請求項１に記載の建築構造物。
【請求項４】
物体の落下を阻止するため、プラットホームの側面に連なる２つのレベルに保護フェンスとセキュリティフェンスとが取り付けられている、請求項１に記載の建築構造物。
【請求項５】
プラットホームのサイズが、レベルが増加するにつれて減少する、請求項１に記載の建築構造物。
【請求項６】
支持コラム、梁並びにトラスがコラム構造物に含まれている、請求項１に記載の建築構造物。
【請求項７】
コラム構造物が中空構造を有する、請求項１に記載の建築構造物。
【請求項８】
コアコラム構造物がソリッド構造を有し、中空構造の支持コラムを含む、請求項１に記載の建築構造物。
【請求項９】
アクセス手段がコラム構造物に組み込まれている、請求項１に記載の建築構造物。
【請求項１０】
前記コラム構造が給水システム、アメニティーおよびユーティリティティーシステムに導管を提供する、請求項１に記載の建築構造物。
【請求項１１】
前記はめ込みプラットホームがコアコラムの周りに花弁状に取り付けられている、請求項１に記載の建築構造物。
【請求項１２】
２，３またはそれ以上のはめ込みプラットホームが同じレベルまたは面にある、請求項１に記載の建築構造物。
【請求項１３】
前記はめ込みプラットホームが異なったレベルの場所に位置する、請求項１に記載の建築構造物。
【請求項１４】
前記ランドフィルに石、砂利および粘土からなる集合体が含まれている、請求項１に記載の建築構造物。
【請求項１５】
埋め立て材料が石、砂利、土壌および粘土を含む表土、サブソイルおよびアースに分類されている、請求項１に記載の建築構造物。
【請求項１６】
前記ランドフィルが石、砂利、土壌および粘土を圧縮することによって生成されたランドフィルセグメントを含む、請求項１に記載の建築構造物。
【請求項１７】
前記ランドフィルが地面から掘り出されて凹みに置かれ、その後拡散によりランドフィルと一体化されて形成された土地の一部を含む、請求項１に記載の建築構造物。
【請求項１８】
前記ウォーター・レテキュレーション システムが前記プロットの各々に対して、独立した水結合を含む、請求項１に記載の建築構造物。
【請求項１９】
前記ウォーター・レテキュレーション システムが若干もしくはそれ以上のプロットを貫通して浸透した水を集め、その水を低レベルの特定プロットに供給する手段を含む、請求項１に記載の建築構造物。
【請求項２０】
前記ウォーター・レテキュレーション システムは、前記プラットホーム中の凹みのベーズから離れた部位に取り付けた多孔板を含み、該多孔板と凹みの間に、ランドフィルを通って浸透した水を集めるスペースを形成する、請求項１に記載の建築構造物。
【請求項２１】
ウォーター・レテキュレーション システムは、若干もしくはそれ以上のプロットに処理水を保持する貯水タンクを含む、請求項１に記載の建築構造物。
【請求項２２】
ウォーター・レテキュレーション システムが、最下位のプロットで集めた水を最終処理後随意に再利用するため、構造物の頂部に汲み上げるポンプ手段を含む、請求項１に記載の建築構造物。
【請求項２３】
ウォーター・レテキュレーション システムが、供給すべき水の質をモニターする手段および、当該水が使用に対する要件を満たしていないと判明した場合、これを更なる処理プロセスに転送する手段を含む、請求項１に記載の建築構造物。
【請求項２４】
ウォーター・レテキュレーション システムが、システム中の処理プラントから固形廃棄物を受け取るコンポストピットを地表に含む固形廃棄物管理施設を含む、請求項１に記載の建築構造物。
【請求項２５】
雨水を集めてウォーター・レテキュレーション システムに供給するのに適したセキュリティーフェンスをプロットの回りに含む、請求項１に記載の建築構造物。
【請求項２６】
前記アクセス手段が階段、エスカレーター、道路、移動タラップおよびリフトを含む、請求項１に記載の建築構造物。
【請求項２７】
住居、バンガロー、クラブ、教育構造物、店舗、駐車場、レクリエーション施設、ジム、運動場、発電所、風車および図書館の中から選んだ少なくとも1個のハウジング構造物が前記プロットの幾つかの上に建設されている、請求項１に記載の建築構造物。
【請求項２８】
中央コラムまたは支持コラムがその周りに建築されたハウジング構造物の一部を形成している、請求項１に記載の建築構造物。
【請求項２９】
異なったプロット上にある住宅構造物が共通の床あるいは屋根を共有していない、請求項１に記載の建築構造物。
【請求項３０】
２、３あるいはそれ以上の前記プロットが農業、園芸、造園された庭、公園、ヘリコプター着陸基地、駐車場、レクリエーションおよび／またはスポーツ用の使用に適している、請求項１に記載の建築構造物。
【請求項３１】
２，３あるいはそれ以上の前記プロットが農業、園芸、造園された庭、公園、ヘリプター着陸基地、駐車場、レクリエーションおよび／またはスポーツ用の使用に適していると共に、ウォーター・レテキュレーション システムがプロット内のランドフィル貫通する潅漑システムを含む、請求項１に記載の建築構造物。
【請求項３２】
前記プロットの幾つかに、雨水から保護する日よけのような設備が装備されている、請求項１に記載の建築構造物。
【請求項３３】
少なくとも1つのコラム構造物を建設すること、
作動可能な水平ポジション中に、前記コラム構造物から伸び、これによって支持され、互いに垂直方向に離し、適量の日光と換気サービスを独立して受け、景観が遮られることなく得るに適した複数の埋め込みプラットホーム構造物を構築すること、
前記埋め込みプラットホーム中の凹みに土壌、粘土、砂利および石の集合体からなる土壌ベッドを詰め込んでプロットを形成すること、
前記プロットの幾つかまたはそれ以上の上にハウジング構造物を建設すること、
ウォーター・レテキュレーション システムを接続する前記プロットの幾つかまたはそれ以上に対してウォーター・レテキュレーション システムを規定すること、
固形廃棄物をプロット別に分けて処理した後リサイクルし、リサイクル水を高いレベルや比較的低いレベルのプロットで使用すること、
地表およびその他のプロットから前記プロットにアクセスする手段を提供すること、
前記プロットの幾つかまたはそれ以上にアメニティーまたはユーティリティーを提供することを含む、建築構造物の建築方法。
【請求項３４】
異なったレベルに花弁状に高架プロットの各々を建設することを含む、請求項３３に記載の建築構造物の建築方法。
【請求項３５】
プロットを支持する梁、トラスおよび支持コラムのような支持構造物を提供することを含む、請求項３３に記載の建築構造物の建築方法。
【請求項３６】
ランドフィルを通して浸透した水を収集するため、各プラットホームのベースにギャップを生成し、ギャップをウォーター・レテキュレーション システムに接続することを含む、請求項３３に記載の建築構造物の建築方法。
【請求項３７】
土壌ベッドが土、粘土、砂利および石を選別して満たすことによって、凹みの中に用意される、請求項３３に記載の建築構造物の建築方法。
【請求項３８】
人々や車の自由行動用および車両駐車場、建築構造物の下部駐車スペースのようなその他の公共的使用のため、およそ１０メートルから３０メートルまでの範囲に収まる高さの場所を起点としてプロットを建築することを含む、請求項３３に記載の建築構造物の建築方法。
【請求項３９】
前記プロット上に前記ハウジング構造物を建設し、異なるプロット上のいかなる2個の構造物またはスペースも共通屋根や床を共有しないようにすることを含む、請求項３３に記載の建築構造物の建築方法。
【請求項４０】
前記ハウジング構造物を構築するか、ハウジング構造物中にコラムを含めることによって前記プロット上にこれを構築することを含む、請求項３３に記載の建築構造物の建築方法。
【請求項４１】
前記プロット上に造園された庭に囲まれた住居スペースを建設するプロセスを含むことを特徴とする、請求項３３に記載の建築構造物の建築方法。
【請求項４２】
直射日光や不要な熱並びに大雨および悪天候から保護する手段を提供することを含む、請求項３３に記載の建築構造物の建築方法。
【請求項４３】
発電のため、プロット上とプロットの周りに取り付けてソーラーパネルを提供すること並びにこれらによる発電と前記プロット上のハウジング構造物内およびウォーター・レテキュレーション システムに対して電気を使用することを含む、請求項３３に記載の建築構造物の建築方法。
【請求項４４】
いずれかのプロット上あるいは、出来れば一番上のプロットの風車を使って電気を作ることを含む、請求項３３に記載の建築構造物の建築方法。
【請求項４５】
雨水を集水して、後で使用するため、保持タンクに貯蔵する手段を提供することを含む、請求項３３に記載の建築構造物の建築方法。
【請求項４６】
使用済みの水を処理し、処理済みの使用済み水をリサイクルする手段を提供することを含む、請求項３３に記載の建築構造物の建築方法。
【請求項４７】
このような構造物のシリーズが道路、３０メートルの高さの車線および６０メートルの高さに復帰した車線に結ばれる等、スカイビレッジを生成している、請求項３３に記載の建築構造物の建築方法。
【発明の詳細な説明】
【技術分野】
【０００１】
本発明は建築概念に関する。
【背景技術】
【０００２】
本文書の以下に規定するハウジング構造物は、居住ユニット、商業スペース、スタジアム、駐車場およびこれらと同等なものを意味する。
【０００３】
農業用あるいは園芸用の使用には、植物、野菜、果物、花およびこれらと同等なものの育成を目的として行うプロットの使用も含まれる。それには、温室内で行う植物の生育も含まれる。
【０００４】
都市エリアに於けるスペースの制限は家族に、開放性が低く、不適切な換気と不十分な照明を持つぎこちない住居に滞在することを強要する。東西方向に開く扉や窓が存在しなので、昼時間に於いても電気照明を使用し、更に冬期シーズンに於いてもファンや空調装置を運転しなければならない問題は日常的なものである。このような居住ユニットは避難場所を提供するだけのもので、望ましいことからほど遠い。このような状態の唯一の理由は、家の周りに空間スペースが確保されていない、所謂開放性不足である。
【０００５】
人間の生存に必要とされる酸素を含む微風その他の自然による高価な贈り物が、都市エリアで欠乏している。都市住民が彼らの生き残りのために酸素を買うようになる時期は遠くない。ファクト  ツリーによると、低木とツタおよび最も小さな草でさえ好ましい量の酸素を供給し、エコロジーをバランスさせる大気状態を生成している。産業公害や車両公害によって引き起こされた害を和らげるには、都市エリアで植物管理を行うことが一層必要である。植物管理のため、脱水状態を鎮める試みで小さなポットの中かバルコニーで試みに栽培されている小植物やツタはあわれな状態にあるだけでなく、誤りを無にするには不十分なものである。
【０００６】
大臣や高級官僚用のものを含む、村々や小さな町によく見られる大きいプロット上のシングルハウスや大都市では見られないバンガロー/別荘は、目立って良い雰囲気および非常に楽しい環境を提供し、ここには、２，３の樹木、幾つかの低木、果物類、草花並びに自然がもたらすその他の報奨金がしばしば含まれている。それらの独立した合成物、ベランダ、ガードルームおよび利便性を提供するこれらと同等なものは、ハウスに優雅さを付加する。
【０００７】
このようなバンガローには、盗みや窃盗による事件が起こりやすいので、居住者は町を離れ、留守にする間、家に錠を掛け、無人状態にしておくことができない。このような家と居住者は過度な降雨、洪水、断水の脅威にも曝され、ネズミや爬虫類もここに出入りし、居住者は蚊に刺される。一方、スカイ・スクレーパーの高層フラットは素晴らしい景色を提供し、ここには安全システムやセキュリティーシステムが装備されている。しかし、これらのフラットとビルデングは自然とは遙かに異なるコンクリートジャングルを形成し、周りに樹木、低木および草花のためのオープンスペースが欠如しているので、優れた家としての条件が全くない。それらにはバンガローの持つ優雅さや壮大さ並びに高いステータスが非常に不足している。
【０００８】
従って、理想的な家が、独立したプロット上のバンガローおよびスカイスクレーパーの高層階フラットの両方が備えているような品質、設備および優雅さを必要とすることが望ましい。
【発明の概要】
【発明が解決しようとする課題】
【０００９】
本発明の持つ１つの目的は土地不足に対する解決を提供することである。
【００１０】
本発明の持つもう１つの目的は、住宅用スペースを特に含めて空間を建設する方法を提供することである。
【００１１】
人工的に生成したプロットにハウスを提供することも本発明の目的である。
【００１２】
本発明のもう１つの目的は、都市エリアにより優れた生活条件を提供することである。本発明の更なるもう１つの目的は、都市エリアに於ける家の周の開放性を倍増させることである。
【００１３】
本発明の更なるもう１つの目的は、都市エリアで得られる限定された土地をもっと良く使用させることである。
【００１４】
更に、本発明のもう１つの目的は、家の周りの土地エリアを倍増し、特に、それらの各々の周りに青々とした豊かな草木栽培場を提供することである。
【００１５】
本発明の更なるもう1つの目的は、都市エリアに於ける公害の悪影響を和らげ、地球温暖化現象を無効化することである。
【００１６】
本発明の更なるもう1つの目的は、狭苦しい住宅およびハウスフラット並びに建物の密集が引き起こした過密渋滞を排除することである。本発明の更なるもう1つの目的は、車両交通渋滞、交通混乱を引き起こす路上駐車を排除することである。
【００１７】
本発明の更なるもう1つの目的は、豪華なバンガローの特質と高層階フラットの特質を一緒に結合して、これらの特質を高め、それらがそれぞれ持つ欠点を排除することである。
【００１８】
本発明の更なるもう1つの目的は、２，３又はそれ以上のハウスに、居住者の家族による消費を目的に耕して野菜と果物を生産する土地を提供することである。
【００１９】
本発明の更なるもう1つの目的は、コンクリートジャングルを緑の草木で覆われたパラダイスに変換することである。
【００２０】
本発明の更なるもう1つの目的は、住居と構造物におけるサービスのため、規則的且つ永久的に電力を発生させて供給することである。例えば、日光とイルミネーションをフルに活用するソーラーパネルや高所に豊富な微風を利用する風車を取り付けることによって、これらの構造物とハウスを電力や電気に関して自己依存性にして送電網上の負担を減らす。
【００２１】
本発明の更なるもう1つの目的は、ハウス、人々および彼らの財産を豪雨、洪水、伝染病、渇水、津波や地球温暖化現象による平均海面の上昇のような自然災害から守るためのソリューションを提供することである。
【００２２】
本発明の更なるもう１つの目的は、土木公共機関が、人、車両の完全自由行動のためおよび駐車場、公園のようなその他の公共的使用や農業、耕作用に、dream-cum-trueタウンあるいは都市エリアもしくは少なくとも地方エリアを、一帯の10メートル以上50メートルまでの場所が解放されている全エリアを使って計画することを特に可能にすることである。このようなドリームタウンには、約60メータ−に復帰する高さが約30メーターから50メーターの場所に水平接続道路やアクセス車線等を設け、その中で自由に行動ができるように幾つかの段を実際に生成することができるので、タウンや主要都市でも「スカイビレッジ（Sky-villages）」の建設を実現することができる。
【００２３】
本発明の更なるもう1つの目的は、過密を解消し、同時に草木の栽培を促進し、ハウスおよび地方を電力、水資源、排水システム、駐車場に関して自足状態にして、更に、全地面を公共サービスに利用可能にし、土木公共機関が予測した問題をうまく解決して、それらに対する負担を軽減することである。
【００２４】
本発明の更なるもう1つの目的は、伝統的建物を保護並びに保存し、大小の運動場、公共の場所を一括して保護し、同時にこれらをもっと多くの住居や非居住構造物を収容するため使用することである。彼らの公共事業を妨げず、事実上保護する暑い日光や豪雨から保護すると、メンテナンスコストをかなり削減しながら伝統的遺産建物を保存することができる。運動場の場合、試合やゲームが雨により延期や中止されることはない。運動場はカバーされているので"室内"であると同時に、完全な開放性の観点から"屋外的'であり、実際に両世界のベストを誇りとする。
【００２５】
本発明に準拠した建築構造物はそれ故に、彼らの公共事業を妨げることなく、事実上、これを保護しながら公共用地に建築することができる。
【００２６】
本発明の更なるもう1つの目的は、方向の異なる新しい概念、つまり、ハウス、植生、駐車その他のために、人工プロットを生成し、面積並びに高さ、即ちプロットの上のボリュームを利用する概念を建設業界に設定することで、換言すれば、当該目的は、主要都市に於けるグリーン垂直拡大の方法を提供することである。
【課題を解決するための手段】
【００２７】
本発明の要件を満たすと、以下を含む建築構造物が提供される。少なくとも1個のコアコラム構造物;当該コラム構造物によって支持され、ここから正視的に動作可能に伸び、各々が適量の日光と換気サービスを独立して受け、遮るもののない景観が得られるように垂直方向に離して配置された複数のはめ込みプラットホーム構造物；プロットを形成するため、はめ込みプラットホームの当該凹みに充填されたランドフィル；互いに且つ中央給水システムに接続された２，３個またはそれ以上の当該プラットホームに用意されたウォーター・レテキュレーション システム；プロットを地面および他のプロットと接続するアクセス手段;および２，３個又はそれ以上の当該プロットに取り付けたアメニティー/ユーティリィー。
【００２８】
少なくとも約10メーターから30メーターの範囲に収まる高さのコラム構造物には、一般にプラットホームは取り付けない。プロットの各々には一般に、プラットホーム端部の周囲にフェンスを取り付ける。
【００２９】
一般に、オブジェクトの落下を防止するため、プラットホームの外側から伸びる２つのレベルに保護フェンスとセキュリティフェンスを取り付ける。
【００３０】
一般に、レベルが増加するにつれて、プラットホームのサイズは縮小する。
【００３１】
コラム構造には一般に支持コラム、梁およびトラスが含まれる。
【００３２】
一般に、コアコラム構造物は中空とする。
【００３３】
一般に、コアコラム構造物をソリッド構造とし、ここには、中空構造の支持コラムを含める。
【００３４】
一般に、アクセス手段をコラム構造物に格納する。一般に、コラム構造物は給水システム、アメニティー設備とユーティリティーに導管を提供する。
【００３５】
一般に、はめ込みプラットホームはコアコラムの周りに花弁状に取り付ける。
【００３６】
一般に、２、３個またはそれ以上のはめ込みプラットホームを同じレベルか面上に配置する。一般に、すべてのはめ込みプラットホームを異なった高架レベルに配置する
【００３７】
一般に、ランドフィルには石、砂利、土壌と粘土の集合が含まれる。
【００３８】
一般に、ランドフィル材をトップソイル、サブソイルおよび石、砂利、土壌および粘土を含むアースに格付けする。
【００３９】
ランドフィルには一般に、石、砂利、土壌および粘土をオフサイトで一緒に圧縮することによって生成させ、凹みに充填するためサイトに輸送したランドフィルのセグメントが含まれる。
【００４０】
ランドフィルには一般に、地面から掘り出して、凹みに置いた土地の一部で、時間の経過と共に拡散して最後にランドフィルの一部となったものが含まれる。
【００４１】
一般に、ウォーター・レテキュレーション システムには当該プロットの各々に対する独立した水接続が含まれる。
【００４２】
一般に、ウォーター・レテキュレーション システムには各プロットで使用した水を処理する処理プラントが含まれる。
【００４３】
一般に、ウォーター・レテキュレーション システムには、より低いレベルのプロットで使用するため、１つのプロットで処理した水を供給する手段が含まれる。
【００４４】
一般に、ウォーター・レテキュレーション システムには２，３またはそれ以上のプロットを通して浸透した水を集め、より低いレベルのプロットに供給する手段が含まれる。
【００４５】
一般に、当該ウォーター・レテキュレーション システムは、プラットホーム中の凹みの基部から離れた場所に取り付けられた多孔板を含み、前述のプレートとランドフィルを貫通して浸透した水を集める凹みの間にスペースを形成する。
【００４６】
一般に、ウォーター・レテキュレーション システムは、或るプロットで集めた水を他のプロットに供給するため処理する処理プラントを含む。
【００４７】
一般に、ウォーター・レテキュレーション システムは、２，３又はそれ以上のプロットに処理水を保持する保持タンクを含む。
【００４８】
一般に、ウォーター・レテキュレーション システムには、最下位のプロットで集めた水を最終処理後随意に再使用するため、構造物の頂部まで汲み上げるポンプ手段が含まれる。
【００４９】
一般に、ウォーター・レテキュレーション システムには、供給すべき水の質をモニターする手段および、当該水が使用に対する要件を満たしていないと判明した場合、これを更なる処理プロセスに転送する手段が含まれる。
【００５０】
ウォーター・レテキュレーション システムは一般に、システム中の処理プラントから固形廃棄物を受け取るコンポストピットを地表に含む固形廃棄物管理施設を含む。
【００５１】
一般に構造物は、雨水を集めてウォーター・レテキュレーション システムに供給するのに適したプロットの回りにセキュリティーフェンスを含む。
【００５２】
一般に、アクセス手段には階段、エスカレーター、道路、移動タラップおよびリフトが含まれる。
【００５３】
一般に、住居、バンガロー、クラブ、教育構造物、店舗、駐車場、レクリエーション施設、ジム、運動場、発電所、風車および図書館からなるハウジング構造物のグループから選んだ少なくとも1個にハウジング構造物が、前述のプロットの幾つかに建設される。
【００５４】
一般に、前述の中央コラムあるいは支持コラムはその周りに建築されたハウジング構造物の一部を形成する。
【００５５】
一般に、異なったプロット上のハウジング構造物造は共通床あるいは共通屋根を共有しない。
【００５６】
プロットは一般に、農業、園芸、造園された庭、公園、駐車場、レクリエーションおよび/またはスポーツに使用するよう改造される。
【００５７】
一般に、プロットは農業、園芸、庭園、レクリエーションおよびスポーツ用サイトとして使用するよう改造され、ウォーター・レテキュレーション システムには、プロット中のランドフィルを貫通するドリップ式灌漑システムが含まれる。
【００５８】
一般に、プロットには雨から保護する日よけのような用具が取り付けられる。
【００５９】
本発明に準拠して、建築構造物を生成するための方法が提供される; 但し、当該方法は以下のステップを含むことを特徴とする：少なくとも1個のコラム構造物を構築するステップ;当該コラム構造物によって支持され、当該構造物から動作可能な水平ポジションに伸びる複数の埋め込みプラットホームを建設するステップ、但し、前述のプラットホーム構造物は、プラットホームの各々が適量の日光と換気サービスを独立して受け、遮るもののない景観が得られるように垂直方向に互いに離して配置される;前述の埋め込みプラットホーム中の凹みをソイルベッドで満たしてプロットを形成するプロセス；但し、前述のソイルは、土壌、砂利および石の集合である；前述のプロットの少なくとも２，３の上にハウジング構造物を構築するプロセス；前述のプロット中のウォーター・レテキュレーション システムを互いに且つ中央給水システムに接続する少なくとも２，３の当該プロットに対してウォーター・レテキュレーション システムを指定するプロセス；地面および他のプロットから前述のプロットにアクセスする手段を用意するプロセス；および２，３個又はそれ以上の当該プロットにアメニティー/ユーティリィー施設を取り付けるプロセス。
【００６０】
方法には一般に、レベルが異なる高架プロットの各々を花弁状態に構築するステップが含まれる。
【００６１】
方法には一般に、プロットを支持するため、梁、トラスおよび支持コラムのような支持構造を取り付けるステップが含まれる。
【００６２】
方法には一般に、プラットホーム中のランドフィルを通して浸透した水を集めるため、各プラットホームの基部にギャップを生成し、当該ギャップをウォーター・レテキュレーション システムに接続するステップが含まれる。
【００６３】
一般に土壌ベッドは、凹みを土、粘土、砂利および石を分別して満たすことによって、ここに用意される。
【００６４】
方法は一般に、固形廃棄物をプロット別に分けて処理した後、水をリサイクルし、より高いレベルのプロットから当該リサイクル水を使用するステップを含む。
【００６５】
方法は一般に、人々や車両の自由な動きや駐車、建築構造下の公園のようなその他の公共的利用を目的として、およそ10メーターから30メーターの高さの部位を起点としてプロットを建設するステップを含む。
【００６６】
方法は一般に、当該プロット上に前述のハウジング構造物あるいはスペースを、異なったプロット上の２つの構造物またはスペースが共通屋根と共通床を共有しないように構築するステップを含む。
【００６７】
方法には一般に、前述のハウジング構造物を(直接)構築するプロセスあるいは、コラムをハウジング構造物中に含めることによって、先述のプロット上に建設するプロセスが含まれる。
【００６８】
方法は一般に、当該プロット上に、造園された庭によって囲まれた住居スペースを構築するステップを含む。
【００６９】
方法は一般に、前述のハウジング構造物を直射日光や不要な熱および雨並びに悪天候から保護する手段を提供するステップを含む。
【００７０】
方法は一般に、発電を目的に、ソーラーパネルをプロットの周りおよびプロット上に取り付けて提供するステップ; そこから発電するステップ並びに当該プロット上およびウォーター・レテキュレーション システム用にハウジング構造物で当該電気を使用するステップを含む。
【００７１】
方法は一般に、いずれかまたはなるべく最上部のプロット上で風車を使って発電するステップを含む。
【００７２】
方法は一般に、雨水を集め、これを後で使用するため保持タンクに貯蔵する手段を用意するステップを含む。
【００７３】
方法は一般に、使用済みの水を処理し、処理済みの当該使用済み水をリサイクルする手段を提供するステップを含む。
【００７４】
一連の当該構造物は一般に、道路や30メートルの高さの部位にあり、再び60メーターの高さになるレーンに接続されて、"Sky-villages"を生成する。
【図面の簡単な説明】
【００７５】
以下において本発明を、添付図面を参照して特に説明する：
【００７６】
【図１】本発明に準拠して、複数の埋め込みプラットホームを付けた構造物のイラストを示す。
【図２】本発明に準拠した構造物で、6個のペタルウィングを持つものの水平断面を示す。
【図３】本発明に準拠した構造物で、3個のペタルウィングを持つものの水平断面を示す。
【図４】本発明に準拠した構造物で、前述のプロットの各々の上に構築されたハウジング構造物を含む複数のプロットを持つ構造物の内、4個のペタルウィングを持つものの垂直断面を示す。
【図５】本発明に準拠した構造物で、コアコラム構造物の周りにスパイラルに構築され、コラムによって支持されている高架人工プロットの内、4個のペタルウィングを持つものを示す構造物の水平断面のイラストである。
【図６】その上に構築されたハウジング構造物と使って埋め込みプラットホームの断面を示すイラストである。
【図７】トラスおよび梁によって支持され、セキュリティーフェンスと防御用ワイヤーメッシュフェンスを取り付けた複数の埋め込みプラットホームを示す本発明に準拠した構造物のイラストである。
【図８】支持コラムによって支持された複数の埋め込みプラットホームを示す本発明に準拠した構造物のイラストである。
【図９】本発明に準拠して格付けされたランドフィルを示す埋め込みプラットホームの断面のイラストである。
【図１０】本発明に準拠して前述のプラットホーム中の凹みを満たすために使用した複数のランドフィルセグメントを示す埋め込みプラットホームの断面のイラストである。
【図１１】本発明に基づくウォーター・レテキュレーション システムを説明するイラストである。
【図１２】4個のペタルウィングを持つ本発明に基づく高架プロットを支持手段と共に示すイラストである。
【図１３】4個のペタルウィングと支持コラム構造物を持つ、本発明に基づく高架プロットを示すイラストである。
【図１４】土地の小プロットのような1個の花弁構造体を持つ、本発明に基づく高架プロット上の構造物を示すイラストである。
【図１５】土地の長方形のプロット上にあるような2個の花弁構造体を持つ、本発明に基づく高架プロット上の構造物を示すイラストである。
【図１６】土地のより大きいプロット上にあるような4個の花弁構造体を持つ、本発明に基づく高架プロット上の構造物を示すイラストである。
【図１７】4個のペタルウィングを持つ構造物を本発明に準拠してトラスによって支持され、前述のプラットホームの各々の上に建築した住宅と共の示すイラストである。
【図１８】本発明に基づく支持コラムの周りに建築したシングルプロットと住宅を示すイラストである。
【発明を実施するための形態】
【００７７】
添付図面の図１は本発明に基づくコラム構造物(1)から伸びる複数のプロット(2)を持つ構造物を示すイラストである。高架プロット(2)を提供する建築構造物は本発明に基づき想像される。建築構造物は、少なくとも1個のコアコラム構造物(1)；前述のコラム構造物(1)から正視的に動作可能に伸び、支持コラム(3)によって支持された複数の埋め込みプラットホーム構造物(2)を含む。プラットホーム構造(2)は垂直に互い離れた部位に配置し、ここにランドフィルを詰め込んでプロットを形成する。ウォーター・レテキュレーション システムを２，３またはそれ以上の当該プラットホーム(2)の中に構築し、互いに接続すると共に、中央給水システムに接続する。プロットを地面および他のプロットと接続するアクセス手段も提供される。アクセス手段には人々のための階段とリフト、商品用の階段とリフト並びに車両用リフトが含まれる。プロットを地面および他のプロットを接続する移動タラップあるいは道路も、中空コラム構造物の中あるいは外部から供給することができる。プラットホームは10メーターまたは30メーターより高い場合に限りコラム構造物(1)に取り付け、人々や車が自由に動けるか、公営公園その他これと類似なものとして使用できるように、地面上のエリアを空にする。
【００７８】
土地のプロットの形やサイズによって、1個またはそれ以上の埋め込みプラットホーム(2)をコアコラム構造物(1)の周りに花弁状に取り付ける。はめ込みプラットホーム(2)の幾つかは同じレベルか同じ平面上にある。もう１つの具体化例では、はめ込みプラットホームは異なったレベルか異なった平面上にある。図2、図3および図5は、それぞれ6個、3個および4個のペタル ウイングを持ち、本発明の要件を満たす、異なった実施例を示すイラストである。
【００７９】
構築可能な花弁状に建設されるこれらのプロットは、同じ面に平行して建設されるが、異なった面に構築することもできる。添付図面の図5は、図4に示す構造物の水平断面を示すイラストである。高架プロットは本発明に準拠して支持コラム構造物の周りに螺旋状に構築される。
【００８０】
コラム構造物には支持コラム(3)、梁およびトラス(5)が含まれる。コアコラム構造物(1)は典型的な中空構造のものである。もう１つの具体化で、コアコラム構造物(1)はソリッド構造にすることができ、その構造物には中空構造の支持コラム(3)を含めることができる。アクセス手段は中空構造を持つこれらのコラムに収納される。コラム構造物は給水システム、アメニティー装置およびユーテリティー装置用に導管も提供する。添付図面の図7は、トラスおよび梁によって支持された複数の埋め込みプラットホームを示す本発明に準拠した構造物のイラストである。プロットの各々に対し、プラットホームの端部に保護フェンス(6)が取り付けられる。物体が落下するのを防止するため、プラットホームの各々に対して、プラットホームの外側にワイヤーメッシタイプの第2レベルのフェンス(7)を取り付ける。レベルが増加するにつれて、プラットホームのサイズは減少する。一般に、プラットホームの大きさは結合された２つのフェンスの幅だけ減少する。
【００８１】
添付図面の図8は、支持コラムによって支持された複数の埋め込みプラットホームを示す本発明に準拠した構造物のイラストである。
【００８２】
添付図面の図４は、前述のプロットの各々に構築されたハウジング構造物(4)を付けた複数のプロット(2)を示すイラストである。複数のコラム(3)は人工プロット(2)を支持するために建築され、高架プロットは異なったレベルに構築される。本発明に基づいて建設されたハウジング構造物は、その上または下のハウスと屋根や床を共有しない。幾つかのプロット上に構築されたハウジング構造物(4)は、造園されたガーデンエリアに囲まれた居住スペースとして利用することができる。構造物(4)は商業施設、運動場、スタジアム、ユーティリティージェネレータ、貯水施設あるいは屋内駐車場のような非居住スペースにすることもできる。ハウジング構造物(4)をプロット上に構築したハウジング構造物(4)の一部を形成するように、コラムを囲むように建設することもできる。このような具体化例では、コラムの間のスペースは中空でなく、構造物内のスペースの一部である。
【００８３】
添付図面の図6は、その上に構築されたハウジング構造物を使って埋め込みプラットホームの断面を示すイラストである。プロットには、端部に保護フェンス(6)が取り付けられる。プラットホームの外側にフェンス(7)の第2レベルが形成される。フェンス(7)の第2レベルはワイヤーメッシュタイプかネットタイプで、プラットホームから落下した物体をキャッチするように取り付けられる。メッシュフェンスを持ち上げるか下げる手段がフェンスを調節し且つ清掃する目的で取り付けられる。もう１つの具体化例では、フェンス(7)は雨水のために容器の役を務めることができるように、適切な時期に折り曲げるか伸ばし、集めた雨水をウォーターレテキュレーションシステムに供給することができる一連のフラップから成り立っている。
【００８４】
ランドフィルには石(11)、砂利(12)、土壌と粘土(13)の集合が含まれる。ランドフィル材をトップソイル、サブソイルおよび石、砂利、土壌および粘土を含むアースに格付けする。本発明のもう11つの具体化例では、ランドフィルには、石(11)、砂利(12)、土壌および粘土(13)をオフサイトのものと一緒に圧縮することによって生成させ、凹みに充填するためサイトに輸送したランドフィルのセグメント(14)が含まれる。更なるもう１つの具体化例では、ランドフィルには、地面から掘り出して、凹み満たすため圧縮した土地のセクション(14)が含まれる。これらのランドフィル・ブロックは結局拡散させられて、統合されたランドフィルが形成される。多孔板を前述のプラットホーム中の基部から離れた場所に配置し、当該プレートと凹みの間に、ランドフィルを通して浸透した水を集めるためのペースを形成する。このスペースはウォーターレテキュレーションシステムの一部を形成する。本発明の１つの具体化例では、ウォーターレテキュレーションシステムには濾過手段も含まれる。添付図面の図9は、本発明に基づく格付けされたランドフィルを示す埋め込みプラットホームの断面のイラストである。添付図面の図10は、本発明に基づく、当該プラットホーム中に満たすのに使用した複数のランドフィルセグメントを示す埋め込みプラットホームの断面のイラストである。
【００８５】
添付図面の図11は、本発明に基づくウォーターレテキュレーションシステムを説明するイラストである。構造物には、新鮮な水用のタンク(21)とリサイクル水用のタンク(23)からなる2個のタンクを頂部に、図に示すように取り付ける。プロット(2)の各々には、新鮮な水のための独立した接続(25)を取り付ける。新鮮な水は飲料水として料理や入浴にも使われる。リサイクル水(27)のためにインレットも取り付ける。掘り抜き井戸(22)から採取した水が清掃用やトイレを流すため並びに庭の灌漑等に使われる。使用済みの清水および清掃並びにトイレから得られた排水を処理ユニットワン(31)を貫通させる。処理ユニット１(31)を通過した水を保持タンク(35)に集める。リサイクル水は農業用や園芸用並びに公園に於ける散水用に使用する。余った水はランドフィルに浸透させて、はめ込みプラットホームの中に集める。集めたこの水はその後処理ユニット２(33)に引き渡す。処理後ユニット２から得られた水は保持タンク(35)に集められる。処理ユニット１(31)および処理ユニット２(33)から発生した固形廃棄物は収集後、ドレーンを通してコンポストピット(45)に送る。この固形廃棄物は水分を約10%しか含んでいないので、農業、園芸あるいはガーデニング用の肥料に変換する。保持タンク(35)に集めた水を再び処理ユニット3(37)に引き渡す。これら３つの処理後に得られる水は再利用に適する。特定プロットから得られたこの処理水はその下のプロットで、ガーデニング用や農業用のリサイクル水として使用する。>更に、格付けしたランドフィルは自然のフィルターベッドの役も務める。この方法で、水は各レベルでリサイクルされ、最下位のレベルに届くまで、次の下位レベルで使われる。最下位のレベルから得られた水は、構造物の底部にある最終処理プラント(39)で処理され、再使用する目的で、パイプライン(41)を通って、構造物の頂部にあるタンク(23)に汲み上げられる。リサイクル水は重力によって１つのレベルから他に移動するので、くみ上げる必要はない。ウォーターレテキュレーションシステムには、リサイクル水の質をモニターするモニターシステムが取り付けられている。モニターシステムは各レベルに取り付け、オンラインで水質をモニターする。モニタリングシステムは固体微粒子、有機物、有毒な材料およびこれらと同等なものの含有量をチェックする。モニタリングシステムが処理水が農業用再利用に適していないと判定した場合、当該処理水はバイパス弁を通ってより低レベルの場所の処理プラントに送られる。処理水は再利用のための純度基準が規定する要件を満たす場合に限り再利用される。
【００８６】
図12と図13はサポート手段を使って本発明の構造物を説明するイラストである。図12は支持コラムとトラス並びに梁によって支持された高架プロットを説明するイラストである。図13はそれを支持する複数のコラム構造物を使って、高架プロットを説明するイラストである。住居をまわりに建てることができるように、これらのコラム構造物を一般に前もって決めたポイントに取り付ける。
【００８７】
図14と図18は、生成されたプロット上に構築した花弁と住居の数に関して、異なった実施例を説明する構造物のイラストである。添付図面の図14は、他の上にシングルコアコラムとプラットホームワンを持つ本発明に基づく構造物を示すイラストである。添付図面の図15は2個のペタルを持つ構造物を示すイラストである。添付図面の図16は４個のペタルを持つ構造物および当該ペタルの各々の上に本発明に基づき建築した住居を説明したイラストである。添付図面の図17は、当該プラットホームの各々の上に住居を付けた4個のペタルを持ち、トラスによって支持された構造物を示すイラストである。添付図面の図18は、支持コラム構造の周りに建築したシングルプロットと住宅を示すイラストである。
【００８８】
もう１つの具体化例では、ランドフィルは農業用あるいは園芸用の使用に適している。プラットホーム中のウォーターレテキュレーションシステムの一部はランドフィルを貫通する。ウォーターレテキュレーションシステムのこの部分にはドリップ灌漑手段を取り付ける。構造物には雨水を集めて後で使用する貯蔵手段を取り付ける。構造物には下水を処理する手段も取り付ける。
【００８９】
住宅地域を特に含むプロットには、午後の暑い時間帯に直射日光や不要な熱から保護し、雲が炸裂して起こる垂直豪雨からも保護するシールドを装備する。
【００９０】
発明の１つの具体化例では、構造物に発電するためのソーラーパネルを装備する。ソーラーパネルは日光の光エネルギーを吸収して電気を起こし、熱も吸収して、構造物の内側の温度を維持する。最高レベルまたは屋根および/または発電に適した高所にある前述の人工プロットの幾つかに風車が設置される。
【００９１】
更に、本発明のもう1つの具体化例に準拠して、dream-cum-trueタウンまたは都市エリアもしくは約５０フィートの高さまでの全エリアが人や車の自由行動および公園、庭園のようなその他の公共的使用のため解放されている少なくとも１つの地方が農業、耕作用に建設される。或る構造物から他の構造物に自由に移動するために実際に２，３の段を形成し、タウンおよび大都市にも"Sky-villagey'を作る水平接続道路、高さが50フィートで再び100フィートのアクセスレーン等がある。
【００９２】
複数の段からなる住居スペースを構築する方法は本発明によって想像される。多数のこれらの段を支持するには、少なくとも1個の中空中央支持構造物が最適である。複数のスラブが、互いから規定する垂直最小距離だけ離れた場所にある他の頂部上に構築される。1個が他の頂部に正確に位置する2個のスラブ間のこの距離は一般に50フィートである。これらのスラブは隣接するレベル間の垂直距離を減少させながら、中央支持構造物の周りに螺旋状に構築することもできる。このようにして、2個より多い数のスラブを中央支持構造物の50フィートの中に納めることができる。前述のスラブの各々の上に、少なくとも一軒の家が建築される。これらの家は中央支持構造物の周りにあるこれらのスラブの上に建築される。造園された庭がスラブ上の家の周りにあるエリアに用意される。
【００９３】
発明の具体化例に準拠して、中央支持構造物を中空構造を持たせて構築し、エレベーターや階段を家に適合させる。コラム構造には、どんなレベルでも車を家まで運転するため、車道や道路も持たせることができる。コラムをプロットの上に建設される家の部屋の一部にすることができる。
【００９４】
前述の家の各々には、午後の暑い時間帯に直射日光および望ましくない熱から保護するシールドを付けることもできる。最高レベルまたは屋根および/または発電する高所にある前述の人工プロットの幾つかに風車が設置される。後で使用する目的で、雨水を集めて貯水槽に蓄えるシステムも構造物の中に構築する。下水処置システムが設置されているので、処理後の水を庭の植物に対する灌漑に使うことができる。ソーラーパネルをコラム構造物および利用可能な他の場所に取り付けて発電することができる。ソーラーパネルは熱を吸収し、構造物の内側の温度を維持するのに役立つ。
【００９５】
本発明のもう１つの具体化例に準拠して、構造物は水塊中あるいは部分的に地上および部分的に水塊上に建築される。このような構造で、処理される下水は同じ水塊の中に入れられる。
【００９６】
本発明のもう１つの具体化例に準拠して、構造物は沖合に建設される。このような構造で、波浪および/または潮のエネルギーを電力を発生させるために使うことができるかもしれない。
【００９７】
本発明は最大オープンエリアと家の周りの土地によって開放性を倍増させる芸術的概念をも想像させ、当該概念に基づき以下を持つハウスを提供する：スカイスクレーパー内の高層階フラットから得られるよりもっと素晴らしい景観；および風車のオプションを提供する高所と適切な風のように、電気を永久に生成する、ソーラーパネルの使用によって利用することができる最大の開放性および日光。すべての側面が解放されているハウスは自然換気と十分な量の自然光を提供する。このようにして、構造物は強制換気あるいは強制照明の為に行われる電気の過剰消費を防止するように構築される。
【００９８】
本発明に基づく建築概念はプロットの面積に加え、高さ、即ち土地のプロット上の容積を利用することを通して建設業界に新しいトレンドを確立しようとするものである。
【００９９】
所定のプロットに対して利用可能なFSIは、本発明の１つの具体化例に準拠して、いつものように建設されるバンガローの数に分けることである。プロットの面積がＮの場合、建築すべきバンガローの数は20である。均等に分配する場合、各バンガローユニットに利用可能なFSIのベース上の住宅密集地は、Nl20の上で計算する。(大きくなるか小さくなるように)ユニット大きさを変えることも可能である。
【０１００】
本発明の実用的具体化例に準拠して、望みの建設の負荷が取れる要求された強度、サイズおよび高さ並びに基礎が得られるコラムの最小数は、土地のプロット上に定めたポイントの上に置かれる。約50フィートの高さでは、可能/許容最大エリアのスラブは、要求された強度とサイズの梁の助けを借りて、これらのコラムの上に置かれる。１つのバンガロー複合体のためのプロットとして処理する場合、門が立てられ、見込みのある個別バイヤーの要件を満たす為、プラットホームスラブ上の土壌ベッドに樹木や芝生が植えられる。約N/20平方フィートを超える大きさの1戸のバンガロー、即ちB-1が規定のモデルとデザインを使って、(スラブエリアを個別プロットとみなして)このスラブの上に建築される。
【０１０１】
コラムは垂直に延長され、約100フィートの高さの場所に、同等なコンパウンド、ゲート等に同様な樹木や芝生を提供するもう１つの同じようなスラブが置かれる − 当該第2スラブを第2バンガローユニット用のもう１つの独立したプロットとみなして、もう１つのバンガローユニット(例えばＢ-２)がこのスラブ上に建築される。
【０１０２】
同じく、バンガローユニット、B-3、 B-4、... B-20が、150フィート、200フィート、...1000フィートの各場所に設置した同種のスラブに建築される。
【０１０３】
高さ(水平レベル)のどの点にも、その周りの(正確なNがNl20であるべき)殆ど全プロットエリアが(空の)開いている、唯1軒のハウスがある。
【０１０４】
各々が屋敷、プール、ゲート、樹木、芝生並びに希望されたか、豪華なバンガローに対するその他の総てを提供する独立したスラブ上の規定モデルとデザインから、個別要件を満たすか個別選択に従う望みの数のバンガローユニットがまとめて建築される。
【０１０５】
1個が他の上にあるバンガロー(例えばB-1とB-5等)の間の合成ギャップは約50フィートのままになっているので、2個、3個、4個またはそれ以上のpetalslwingの中に建設を手配して、2個の連続したバンガローユニット(B-1とB-2)の間の垂直ギャップを丁度25フィート、17.33フィートあるいは12.5 フィートに減らすことができる。このような配置で、バンガローユニット、B-1、B-2、..., B-20が、場合によって、2、3または4もしくはそれ以上の代替えペタル ウイングの同等なスラブ上の5Oフィート、75フィート、90フィート、...640フィートの場所あるいは5Oフィート、あるいは67.33フィート、84.67フィート、...350フィートもしくは50インチ62.5フィート、75フィート、25Oフィートの場所にそれぞれに建築される。
【０１０６】
車両用に2台、商品用に2台および人々用に2台を例として含む十分な数のエレベーターが取り付けられる。見込みある客が随意に追加したヘリコプー着陸パッドの役目も果たす乗り物のための追加道路も提供することができる。最上部までを範囲として、車をバンガローの各々の屋敷やベランダに直行させることができる。
【０１０７】
各ハウスは大抵、そびえ立つ独立した豪華なバンガローである。以下の高さの場所： 50フィート、100フィート、150フィート, ...1200 フィート.(シングルペタルウィング) 50フィート、75フィート、100フィート、...500 フィート(２ペタルウィング) 50 フィート、67.33 フィート、84.67フィート、...350フィート(３ペタルウィング) 50フィート、62.5フィート、75フィート、... 250フィート (４ペタルウィング)。
【０１０８】
本発明に基づき、スカイスクレーパー中の高層階フラットから得られるような素晴らしい景観が各ハウスで得られ、ここにはバンガローの全プレジャーと施設がされ、当該プレジャーと施設は各ハウスに対して利用可能にされる。
【０１０９】
各ハウスには特に、フラットシステムの安全と保安と共にバンガローだけにおまけとして付随するようなフル照明、日光、最大の開放性、草木栽培のためのスペース − 芝生、フラワーガーデン、家庭菜園、プール等が含まれている。
【０１１０】
なるべく高い地点に、その周りの(正確なNがNl20であるべき)殆ど全プロットエリアが(空で)開いている、唯1軒のハウスがある。
【０１１１】
以上に加え、各ハウスには、午後(12時から15時間まで)の日光と迷惑な熱から保護するシールドが装備されている。頂上レベルや屋根レベルは、ハウスのコングロマリット用スポーツ施設または貯水施設として使用することができると思われる。
【０１１２】
利用できる全オープン面積は実際に2000％まで倍増される。
【０１１３】
さらに、開放性はソーラーパネルのためのスペースを提供し、高地と微風が永久に自由発電する風車の設置を可能にする。
【０１１４】
ハウスのコングロメレートは車両エレベーターや最上部のバンガローに連なる道路を所有し、グループが共同で自主的に建設したヘリパッドは美と贅沢の信奉者の最も野性的なイマジネーションを満足させる。
【０１１５】
大臣および/または高級官僚用の1戸建てバンガローが建築されている政府所有の土地プロットは、同様な施設を装備したもっと多くのバンガローを収容するため、既存構造物の持つ美しさと豪華さを大きく損なうことなく利用することができる。覆いがない公共の場所や運動場および歴史的伝統建築物は、より多くの高所宿泊施設を対象とする追加利用の他に、要求された垂直ギャップをそのまま維持した後、より良く維持管理し、(11時から15.00時までの)午後の直射日光や迷惑な午後の暑さおよび貴重なこれらの構造物を腐食させる雨水から保護することもできる。特に大都市中の主要場所にある土地のすべてのプロットはこの方法でもっと良く利用される。
【０１１６】
更に、本発明の概念は、益々多くの人々に理想の家を提供するように、容積、即ちプロットの高さ並びに面積を利用する新しいトレンドを建設業界に設定する可能性を持っていると考えられる。衛生的でより解放されたハウスを、SRDスキームに規定されている、小さくて狭苦しく且つ暗い住居で悩んで暮らしているスラム避難者に提供することができる。これはスラムの絶滅と都市の美化を容易にする。
【０１１７】
図に描かれた概念は全集合施設を想定した不可欠な概念である。コラム構造物は住居の基本的サポートとしての役を果たすだけでなく、サービスと輸送のための導管の役も果たす。少なくとも1個のコラム構造物を、人、車、商品およびサービスのためのエレベーターが取り付けられるように中空にすることができる。エレベーターやエスカレーター並びに階段は一般にコラム構造物の中に取り付けることができる。レベルの各々は階段あるいはプロットの端部に沿って螺旋状に萎縮可能な道路によって追加あるいは代替的にリンクすることができる。
【０１１８】
給水システムは本発明に準拠した概念に基づき特別に設計することもできる。例えば、ドリップ灌漑システムには、異なったレベルの住居のために共通にリテキュレートすることができるガーデン機能と景観機能を規定することができる。一般に、或るレベルからこぼれた水をより低いレベルへの散水に使用し、最も低いレベルで集めた過剰な水を、散水プロセスを繰り返すため再び汲み上げることができる。台所とトイレ並びに浴場で発生した排水がガーデニングやトイレで再利用できるように、下水システムと散水システムを統合することができる。固形廃棄物は処理して、ガーデンおよび概念それ自身の内部に含まれる景観エリアの開発と養育のために使用することができる。
【０１１９】
一般に、建築概念の本発明に基づくトップレベルをエネルギーの確保と生成並びにすべての住居のための貯水のために使用することができる。ソーラーパネルと風車の列を、ソーラーエネルギーや風力エネルギーを受け取り、このエネルギーを電気に変換し、順番に構造物のためのサービス活動を運営して、送電網上の負担を軽減するため、構造物のトップレベルとその他のレベル並びに側面に設置することができる。
【０１２０】
各レベルは、庭の適切な排水を使うガーデンテラスと同等に充填し且つ計画したランドフィルと土壌と一緒に計画することができる。住居の住民によって生成された固形廃棄物は収集、分解、処理して、ガーデンニングと景観用のランドフィル自身のために使用することができる。
【０１２１】
密閉された屋敷、ゲート、玄関、樹木、芝生、バドミントンコート、水泳プールを含む独立したバンガローのすべてのプレジャーと施設と組み合わせたフラットのグループ安全とセキュリティーが作動する。
【０１２２】
以下に匹敵し、割り当て面積が10,000平方メーターの建物密集地域と土地のプロット上のハウスの典型的計算  A) 現今の伝統的バンガロー；および  B) 新しいアイデアに基づくハウス： 1.プロットのエリアが10,000平方メートルで、エリア局所性に適用できるF.S.I.が１である。所定のプロットの上に建設すべき現今の伝統的バンガローは20個のバンガローとする；各バンガローユニットは、内部ロード、アクセス車線、レクリエーション目的の若干のスペースとして要求されるおよそ30％のエリアをそのまま残した後、350平方メーターのオープンサブ・プロットを持つ。
【０１２３】
各バンガローのために利用可能な住宅密集エリアは350平方メーターであるが、階段およびリフトの建設用のエリアの他に、バルコニー用におよそ10％、その他のために15％のエリアを余分に加えるので、纏めると440平方メーターのエリアが必要となる。
【０１２４】
４つの側面のそれぞれに３メートルを超える大きさの最小オープンエリアを残し、建設用に利用可能な最大エリアはおよそ160平方メートルとなる。
【０１２５】
B.U.A.が440平方メーターの1階建てのバンガローまたは各フロアーの広さが220平方メーターの2階建てのバンガローは、建設に利用可能なエリアは180平方メーターしなかいので、350平方メーターのサブプロット上に建てることは不可能である
【０１２６】
各階の面積が147平方メーターの3階建てのバンガローは可能で、当該バンガローの周りには203平方メーターのオープンエリアが、４つのすべての側面に付けたおよそ3メーターから4メーター幅の帯の形で存在する。
【０１２７】
4階建てのバンガローは各階に110平方メートルの床面積を、また2つの側面上の4メーター幅のオープンストリップと残りの2つの側面上の4.5メートル幅のオープンストリップからなる240平方メーターのオープンエリアをそれぞれ持つ。
【０１２８】
竹馬をそのまま保った状態で上に床を建設すると、１階のスペースを駐車場および使用人のトイレに使うことができるスペースが確保される。代わりに、１つまたは２つの側面上により小さなオープンスペースを残すと、より大きな幾つかのオープンスペースが残りの２つの側面上で利用可能になる。これは現在なされていることである。
【０１２９】
いかなる場合でも、ガーデニングや草木の栽培に利用できるスペースはいつも、幅が2、3メーターの狭い帯状の形をした小さなもので、樹木、植物および芝生の栽培を目指す人の願望に制限を引き起こす。或るメンバーが植えた樹木が隣にあるユニットのオープンスペースを蚕食して、不必要な論争や口論が起こる。
【０１３０】
周囲で草木を栽培することをあきらめ、オープンエリアで贅沢とプレジャーを楽しむコストを使うと、40を超える軒数または約100軒の家を或るプロッとに建築することが可能である。所定のプロット上に２０-３０より多い軒数の家を立てると、これらは、楽しい住居であるが、豪華なバンガローの優雅さと壮大さを持たなくなる。
【０１３１】
所定のプロット上に建てた100軒のハウスの場合、各ハウスは、バルコニーのために10%、その他のために約15％、階段とリフトのためにもう少しのスペースを2個あるいは3個に分割した床に割り当て、まとめて87平方メーターのスペースを含めて、70平方メートルのB.U.A.を持つ。独立したバンガローと同等に扱うことはできないが、これらは所謂長屋で、各々に間に1個またはそれ以上の共通壁を持っている。このような家は前部と後部にそれぞれ1個、合計2つの側面を持ち、ここは、僅かな樹木、小さい芝生のための幾つかの場所あるいはごく小さい裏庭が開けてある。すべてがバンガローとは名ばかりのミニチュアである。10,000平方メートルのプロットはその上に建てられた100軒の家で幾分混雑する。開放性は無視され、その結果は明らかになる。
【０１３２】
優れた独立バンガローのようにするには、家の軒数を20あるいは30に制限しなければならない。これらの家々には勿論、盗みや窃盗による事件が起こりやすいので、居住者は町を離れなれ留守にする間、家を。錠を掛けた状態あるいは無人の状態にしておくことができない。これらの家々と居住者は極端な豪雨、洪水、採水による被害のリスクにさらされる。ネズミや虫類がこのような家に出入りし、蚊は勿論刺す。
【０１３３】
これらのハウスはそれでも、(多くはないが)幾つかの植物、２，３のツタ、若干のｈｉｔｓ、幾らかの野菜、芝生、私的な芝生に於ける朝のお茶および/または晩のお茶並びに独立したバンガローの優雅さと荘厳さ以外の多くの利点を供給する。
【０１３４】
B. 想定したスキームに従った家の建築。同じ数、すなわち20戸の家が所定のプロット上に建設される。
【０１３５】
(i) 土地のプロット上の決まったポイントに配置すべき必要最小数の、要求された建設負荷を収容するに要する強度、サイズおよび高さのコラム。
【０１３６】
(ii) およそ50フィートの十分な高さの場所で、最高約3600平方メートルの最大許容面積を持つスラブを要求された強度とサイズの梁の助けを借りて、これらのコラムの上に置かれなければならない。1軒のバンガローのためのプロットとしてスラブを処理するプロセスでは、有望な個別バイヤーの選択に従って、水泳プール、バドミントンコート等を含むスラブ上の土壌ベッドに屋敷やゲートが建てられ、樹木や芝生が植えられる。規定されたモデルやデザインの中から、当該バイヤーが選んだ1個のバンガローユニット、即ち625平方メートルの面積を持つB-1が(スラブエリアを個別プロットと見なして)このスラブの上に構築される。
【０１３７】
(iii)  コラムは垂直に延長され、約100フィートの高さの場所に、同じような樹木や芝生と一緒に同等な屋敷、ゲート等を供給するもう1つの同等なスラブが置かれる − もう一つのバンガロー、即ちB-2が、当該第2スラブを第2バンガローユニット用のもう１つの独立したプロットとみなして、このスラブ上に建築される。
【０１３８】
(iv) 同様に、バンガローユニット、即ちB-3、B-4、... B-5は、高さが150フィート、200フィート、250フィートの場所に置かれた同種のスラブの上に建築される。高さのどの点(水平レベル)にも、その周りに(正確には、10000 - 200の)殆ど全プロットエリアを持つ唯1軒のハウスが存在する。
【０１３９】
(v) 水泳プール、ゲート、樹木、芝生並びに希望され且つ豪華なバンガローに対するものを意味するその他一切を付けて人工的に生成されたプロット、規定されたモデルとデザインの中から、望みの数のバンガローが、個人の要件並びに選択に基づいてまとめて建築される。
【０１４０】
(vi) 各々に5軒のハウスを互い違いに格納する4つの当該ペタルウィングは、互いに並べて建設することができ、4個のウイングはすべて、各々が625平方メーターの20軒のハウスをまとめて受け入れる。
【０１４１】
(vii) 第1人工プロットの場合、ウイングAのスラブは50フィート、ウイングBのスラブは62.5フィート、ウイングCのスラブは75フィートおよびウイングDのスラブは87.5フィートの高さにそれぞれ位置させて、総てのハウスを螺旋状に配置する。隣接し連続するバンガロー間の十分な垂直ギャップおよび互い違いに配置された２個のバンガロー間に形成された50フィートのギャップは、開放性、日光、照明をすべてハウスの各々にフルに提供する。12.5エリアの最小ギャップに、各ハウスは、3000平方メーターの測量面積を持つ土地とは別に、ほぼ10,000平方メーターのオープンスペースをその周りに持つ。
【０１４２】
(viii) 各ハウスは人工的に作られた独立したプロット、すなわち最高3600平方メートルの最大許容面積を持つスラブの上にある。大きいサイズの芝生、種類の異なる様々な樹木、多種多様な植物が得られる家庭菜園、スイミングプール、バトミントン・コート、広大な駐車場、屋敷、門を含んで、この人工プロット上にすべてがある。
【０１４３】
(ix) 4枚のウィングの中心には、階段、人専用のエレベーター、商品車兼用エレベーターの為のコンジットを形成するコラムのグループがある。車用の道路も提供することができる。車はエレベーターを使うか道路を経由して最上部のバンガローまで運ぶことができる。
【０１４４】
(x) 50フィートより高い部位、最高300フィートの高所にあるすべてのハウスは、スカイスクレーパー中の高層階から得られるよりはるかに素晴らしい景観を持つ。
【０１４５】
(xi) シングルペタル構造、即ち、十分な、約50フィートの十分な垂直ギャップを持つ20軒のハウスを互い違いに並べたものも可能である。最初のハウスは50Ａの高さの部位に位置するが、最頂部の家は1,000フィートの高さの部位に位置する。このような場合、各ハウスは、周りに約20%の空きエリアを残して、およそ8,000平方メーターの(人工的に生成した)プロットエリアを持つ。
【０１４６】
(xii) 最初のハウスを50フィートの部位、また最頂部のハウスを525フィートの部位にそれぞれ位置させ、周りに20%の空き地を勿論残した状態で、各ハウスに約4,000平方メーターのプロット面積を持たせると、2ペタル構造も実行可能である。
【０１４７】
(xiii) 異なった数のペタルウィングは可能で、見込みある居住者の手段の中で建設コストを管理するように垂直ギャップの大きさを変えることもできる。
【０１４８】
(xiv) 想定されたアイデアに基づき建設された各ハウスは、"Two-in-One"、即ち、スカイスクレーパー中の高層階住居とバンガローを一緒にミックスしたものである。単純に、それぞれの欠点をマイナスして、バンガローおよびスカイスクレーパー-フラットから得られる最高の特質を同時に楽しむようにする。
【０１４９】
各々が625平方メートルの面積を持つ20軒のバンガローでは、本件に関して、このスキーム中で順列と組み合わせが実行可能である。非常に興味深いことに、スラムのリハビリテーションまたは再開発プログラムのため、建設に供与された４つの追加F.S.I.を使うと、各々が25平方メーターの面積を持つ2000戸のハウスあるいはそれぞれが40平方メートルの面積を持つ1250戸のハウスを所定のプロット上にこのような方法で建設することができる。 (未来の維持管理などのための適切な取り決めを含めて、全建設コストをまかなうように)、これらを幾つかの売り家に分けると、貧しいスラム居住者のための家をもっと増やすことが完全に実行可能になる。言うまでもなく、これはスラムを絶滅するだけではなく、その地方を美化すると共に貧しい人たちのために天の家を作る結果をもたらす。過密の完全除去を考慮すると、F.S.I.あるいは開発管理規制がこの方法でされた建設のために不必要にされるだろう。エコロジーにバランスを確保し、地球温暖化現象の防止を手伝うこと目指して想定された建設方法における主要ステップについて、建設当局は満足しているかもしれない。もしそうであるなら、当局は適用不能な制限を実施してもよい権利を放棄するかもしれないので、どんな量の建設もどんどん可能となり− 町を完全に緑化すると共にもっと美化する本当の意味の垂直拡大が実現する。
【０１５０】
2011506805.tif 000003
2011506805.tif 000004
2011506805.tif 000005
【０１５１】
住宅密集地とプロット上のハウスに対する土地に関する典型的な計算
以下を含む、測量値約10,000平方メーターのA) 現今のアパートビル/フラットシステムおよびB) 新しいアイデアに基づく：
1.プロットのエリアが10,000平方メートルで、エリア局所性に適用できるF.S.I.が１である。A.このようなプロットに建設すべきフラットまたはアパート、約100フラット/アパート：このような建物のために利用可能な住宅密集エリアは10,000平方メートルであるが、階段およびリフトのために要求される共通エリアとしての約15%に加え、バルコニーのため10%余分に含めると、まとめて12,500平方メーターとなる。
【０１５２】
各々が建物の中に収納されている125平方メーターの100フラット/アパート。
【０１５３】
各フロアーが3125平方メーターの面積を持つ(エレベーターのない)4階建てビルは、それぞれの床に25戸の家を収容すると、２つの側面上に約20メーターのオープンエリアを、また残りの２つの側面に25メーターのオープンエリアをそれぞれ持つ。
【０１５４】
各フロアーが1500平方メーターの面積と12戸の家を持つ、エレベーターの付いた8階建てのビルは、約30メーターから35メーターまでの範囲に収まるオープンエリアを４つの側面全部の上に持つ。各フロアが1000平方メーターの面積を持ち、(1つの階を空フロアとする)13階建てのビルは、各フロアに8戸の家を収納する。
【０１５５】
各フロアが625平方メーターの面積を持ち、(1つの階を空フロアとする)21階建てのビルは、各フロアに5戸の家を収納する。
【０１５６】
各フロアが375平方メーターの面積を持ち、(1つの階を空フロアとする)13階建てのビルは、各フロアに8戸の家を収納する。
【０１５７】
各フロアが250平方メーターの面積を持ち、(1つの階を空フロアとする)13階建てのビルは、各フロアに8戸の家を収納する。
【０１５８】
床の数について平等に分割されたおよそ12500平方メートルのエリアの建設があり、これには幾つかのオプションが利用可能である。殆ど駐車用に100家族全部が共通に利用し、協力的住宅社会が使用し且つ維持管理すべき幾つかのオープンスペースとコンパウンドエリアがあるだろう。
【０１５９】
このような建物の各床には、3戸から25戸のハウスが収納されようとしているので、これによって、ハウスの各々、実際にこれらに多くが西東向きの扉と窓の両方を持たないであろうことを意味する。25より多い階を持つ建物中にだけあるハウス(各階に2戸、3戸または4戸がある)は、すべて東西側の面上に開口部を持っているが、他のオプションで建てられたすべての家は、東西側面上にこのような扉や窓を持つことはできない。これは、このようなハウスの大部分は適切な日光や照明並びに十分な換気のサービスが奪われることを意味する。言うまでもなく、これらの家はすべて、優雅さと荘厳さ以外に提供するバンガローのプレジャーとファシリティを持つことが出来ない。フラットシステム中では、あなたのフラット以外はすべて共用で、もし自分のものがあっても、通路、階段、芝生がすべてである。したがって、所有権とプライバシーの感覚はフラット内にだけ限定されている。
【０１６０】
100家族のメンバーが実施する思考プロセスは平行することがほとんどできないので、苦い経験から、協力はほとんど見られないか拡張されないので、用語「協力社会」は実がなく名前だけ存在しているという明白な結論が導かれる。
【０１６１】
B. 想定したスキームに従った家の建築。平等な数にするには、100戸家が所定のプロットに建築されなければならない。
【０１６２】
土地のプロット上にある規定のポイントに置くべき、望みの建設のロードを負荷するに要する強度、サイズおよび高さの要求最小数のコラム。
【０１６３】
高さおよそ50フィートの場所に、最高約3600平方メートルの最大許容面積を持つスラブを、要求された強度とサイズの梁の助けを借りて、これらのコラムの上に置かれなければならない。スラブのエリアを1つのバンガローコンパウンドのための(人工的に生成した)プロットとして処理した後、ゲートを建て、樹木、芝生をスラブ上の土壌ベッドに植える。 (スラブの面積を個別プロットとみなして)1戸のハウス、即ち、面積が125平方メーターのB-1をこのスラブの上に建設する。
【０１６４】
コラムを垂直に延長して、約100フィートの高さの場所に、同等なもう１つのスラブを置き、同等なコンパウンド、ゲート等に同じ樹木や芝生を提供する − もう１つのハウス、即ちB-2を、当該第2スラブを第2バンガローユニット用のもう１つの独立したプロットとみなして建築する。
【０１６５】
同じく、ハウス、B-3、B-4、...B-25は、150フィート、200フィート、...2000フィートの部位に設置された同様なスラブの上に建築される。高さ(水平レベル)のどの点にも、その周りの殆ど全プロットエリア(正確には、10000 - 125)がその周りに(空のまま)開いている、唯1軒のハウスがある。
【０１６６】
コンパウンド、水泳プール、ゲート、樹木、芝生並びに希望され且つ豪華なバンガローに対するものを意味するその他一切を付けて人工的に生成されたプロット上に、規定されたモデルとデザインの中から個人の要件並びに選択に基づいて定めた望みの数のバンガローがまとめて建築される。
【０１６７】
各々に25軒のハウスを互い違いに格納する4つの当該petalslwingは、互いに横付けされるように建設することができ、4個のウイングはすべて、各々が125平方メーター面積を持つ100軒のハウスをまとめて受け入れる
【０１６８】
第1人工プロットの場合、ウイングAのスラブは50フィート、ウイングBのスラブは62.5フィート、ウイングCのスラブは75フィートおよびウイングDのスラブは87.5フィートの高さにそれぞれ位置させて、総てのハウスを螺旋状に配置する。隣接し連続するバンガロー間の十分な垂直ギャップおよび互い違いに配置された２個のバンガロー間に形成された50フィートのギャップは、開放性、日光、照明をすべてハウスの各々にフルに提供する。12.5フィートの最小ギャップは、そこにある高さの異なるどんなポイントにも、プロットエリア全体の中に唯1軒の家が存在し、各ハウスは測量された3600平方メーターの他に、その周りにほぼ10,000平方メートルの解放スペースを持つことを意味する。
【０１６９】
各ハウスは人工的に生成された独立プロット、即ち、(シングルペタル構造の場合)所定プロットの合計面積と等しくてもよい、最高3000平方メーターの許容最大面積を持つのスラブの上に存在する。この人工プロットには、大きいサイズの芝生、異なった樹木を含む庭、品種の異なる様々な野菜を栽培する家庭菜園、スイミングプール、バトミントン・コート、広い駐車場、その他の樹木、低木、コンパウンド、ゲート等を含むすべてのものが存在する。
【０１７０】
４つのウィングの中心には、階段用の導管、人を運ぶエレベーター、商品用エレベーター並びに車両用を兼ねたエレベーターを形成するコラムのグループがあるだろう。車用に道路も提供することができる。車はエレベーターを使うか道路を経由して最上部のバンガローまで運ぶことができる。
【０１７１】
50フィートより高く、1250フィートまでの範囲に収まる部位の高所にあるすべてのハウスは、スカイスクレーパー中の高層階から得られるよりはるかに素晴らしい景観を持つ。想定されたアイデアに基づき建設された各ハウスは、"Two-in-One"、即ち、スカイスクレーパー中の高層階住居とバンガローを一緒にミックスしたものである。単純に、それぞれの欠点をマイナスして、バンガローおよびスカイスクレーパー-フラットから得られる最高の特質を同時に楽しむようにする。これらが持つ各々の欠点をマイナスする。
【０１７２】
各々が125平方メーターの100戸の家あるいは各々が250平方メーターの50戸のバンガローまたは625平方メーターの20戸のバンガローが建設され、この問題に対して、どんな順序と組み合わせもスキーム中で実行できる。非常に興味深いことに、スラムのリハビリテーションまたは再開発プログラムのため、建設に供与された４つの追加F.S.I.を使うと、各々が25平方メーターの面積を持つ2,000戸のハウスあるいはそれぞれが40平方メートルの面積を持つ1250戸のハウスを所定のプロット上にこのような方法で建設することができる。(未来の維持管理などのための適切な取り決めを含めて、全建設コストをまかなうように)、これらを幾つかの売り家に分けると、貧しいスラム居住者のための家をもっと増やすことが完全に実行可能になる。言うまでもなく、これはスラムを絶滅するだけではなく、その地方を美化すると共に貧しい人たちのために天の家を作る結果をもたらす。過密の完全除去を考慮すると、F.S.I.あるいは開発管理規制がこの方法でされた建設のために不必要にされるだろう。エコロジーにバランスを確保し、地球温暖化現象の防止を手伝うこと目指して想定された建設方法における主要ステップについて、建設当局は満足しているかもしれない。もしそうであるなら、当局は適用不能な制限を実施してもよい権利を放棄するかもしれないので、どんな量の建設もどんどん可能となり− 町を完全に緑化すると共にもっと美化する本当の意味の垂直拡大が実現する。
【０１７３】
2011506805.tif 000006
2011506805.tif 000007
2011506805.tif 000008
【０１７４】
本発明に基づく建築構造物とこの構造物を構築する方法はバンガローと高層アパートの両方が持つ利点を組み合わせ、同時に従来型両構造物の限界を排除する。
【０１７５】
本仕様書には、望ましい具体化例の特別機能とそれに関する即興的改良がかなり強調されているが、望ましい具体化例は発明の原理から離れることなく、様々な改良が施され得ることが重視される。発明の性質に含まれるこれらとその他の改良は、これらの当業者には、本書類による開示から明白である。よって、前述の記述内容は、適用範囲を制限するものではなく、発明の単なる説明であると明らかに解釈すべきである。
【符号の説明】
【０１７６】
１    コアコラム構造物
２    プロット
３    支持コラム
４    ハウジング構造物
５    梁およびトラス
６    保護フェンス
７    フェンス
2011506805.tif 000009
2011506805.tif 000010
2011506805.tif 000011
2011506805.tif 000012
2011506805.tif 000013
2011506805.tif 000014
2011506805.tif 000015
2011506805.tif 000016
2011506805.tif 000017
2011506805.tif 000018
2011506805.tif 000019
2011506805.tif 000020
2011506805.tif 000021
2011506805.tif 000022
2011506805.tif 000023
2011506805.tif 000024
2011506805.tif 000025
2011506805.tif 000026
2011506805.tif 000027
【国際調査報告】
2011506805.tif 000028
2011506805.tif 000029